【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
被処理水に含まれる膜閉塞物質を測定し被処理水を評価する被処理水の評価方法において、
原水及び前記被処理水について紫外線吸光度を測定し、
前記紫外線吸光度の測定結果から該紫外線吸光度の除去率を求め、
前記紫外線吸光度の除去率から、前記被処理水の前記膜閉塞物質の含有量を算出により求め、該算出結果から前記被処理水の膜閉塞性を評価することを特徴とする被処理水の評価方法。
【請求項２】
前記被処理水における膜閉塞性の評価は、
予め求められた前記紫外線吸光度の除去率と膜閉塞物質指標の除去率との相関関係に基づいて、該膜閉塞物質指標の除去率から前記被処理水中の膜閉塞物質の含有量を求め、該膜閉塞物質の含有量により行うことを特徴とする請求項１に記載の被処理水の評価方法。
【請求項３】
原水の紫外線吸光度発現物質および膜閉塞物質の含有量を低下させるために凝集剤注入を行い、被処理水を得る凝集剤注入手段と、
前記原水及び前記被処理水の紫外線吸光度を測定する紫外線吸光度測定手段と、
前記被処理水をろ過処理してろ過水を得る膜処理手段と、
前記紫外線吸光度測定手段によって得られた紫外線吸光度からその紫外線吸光度除去率を求め、該紫外線吸光度除去率から前記被処理水の膜閉塞物質の含有量を求めて、該被処理水の膜閉塞性を評価し、該膜閉塞性の評価結果に基づいて、前記凝集剤注入手段により前記凝集剤の注入を制御する制御手段と、
を有することを特徴とする膜処理装置。
【請求項４】
前記制御手段は、予め求められた前記紫外線吸光度の除去率と膜閉塞物質指標の除去率との相関関係に基づいて、前記膜閉塞度を求めることを特徴とする請求項３に記載の膜処理装置。
【請求項５】
前記紫外線吸光度除去率（式（Ｉ））及び前記膜閉塞物質指標の除去率（式（ＩＩ））は、次式により算出されることを特徴とする請求項４に記載の膜処理装置。
・（原水の紫外線吸光度−被処理水の紫外線吸光度）／原水の紫外線吸光度×１００・・・・・・・・・・・・・・・・・・・・・・・・・・・・・・・・・・・・・式（Ｉ）
・（原水の膜閉塞物質指標−被処理水の膜閉塞物質指標）／原水の膜閉塞物質指標×１００・・・・・・・・・・・・・・・・・・・・・・・・・・・・・・・・・式（ＩＩ）
【請求項６】
請求項３〜５のいずれかに記載の膜処理装置を含むことを特徴とする水処理プラント。
【請求項７】
原水の紫外線吸光度発現物質および膜閉塞物質の含有量を低下させ被処理水を得るために凝集剤注入する処理を行う凝集剤注入処理ステップと、
前記原水及び前記被処理水の紫外線吸光度を測定する紫外線吸光度測定ステップと、
前記被処理水から分離膜を用いてろ過水を得るろ過処理ステップと、
前記紫外線吸光度からその紫外線吸光度除去率を求め、該紫外線吸光度除去率に基づいて、前記被処理水の膜閉塞物質の含有量を求め、該被処理水の膜閉塞性を評価する膜閉塞性評価ステップと、
前記膜閉塞性評価ステップによる膜閉塞性の評価結果に基づいて、前記凝集剤注入処理ステップにより前記凝集剤の注入を制御する制御ステップと、
を備えることを特徴とする膜処理装置の運転方法。
【請求項８】
前記膜閉塞性評価ステップにおいて、予め求められた前記紫外線吸光度の除去率と膜閉塞物質指標の除去率との相関関係に基づいて、前記膜閉塞度を求めることを特徴とする請求項７に記載の膜処理装置の運転方法。
【請求項９】
請求項７または８に記載の膜処理装置の運転方法を含むことを特徴とする水処理プラントの運転方法。
【手続補正２】
【補正対象書類名】明細書
【補正対象項目名】発明の名称
【補正方法】変更
【補正の内容】
【発明の名称】被処理水の評価方法、及び膜処理装置、水処理プラント、その運転方法
【手続補正３】
【補正対象書類名】明細書
【補正対象項目名】００１６
【補正方法】変更
【補正の内容】
【００１６】
本発明は、以下の（１）〜（９）である。
（１）被処理水に含まれる膜閉塞物質を測定し被処理水を評価する被処理水の評価方法において、
原水及び前記被処理水について紫外線吸光度を測定し、
前記紫外線吸光度の測定結果から該紫外線吸光度の除去率を求め、
前記紫外線吸光度の除去率から、前記被処理水の前記膜閉塞物質の含有量を算出により求め、該算出結果から前記被処理水の膜閉塞性を評価することを特徴とする被処理水の評価方法。
（２）前記被処理水における膜閉塞性の評価は、
予め求められた前記紫外線吸光度の除去率と膜閉塞物質指標の除去率との相関関係に基づいて、該膜閉塞物質指標の除去率から前記被処理水中の膜閉塞物質の含有量を求め、該膜閉塞物質の含有量により行うことを特徴とする上記（１）に記載の被処理水の評価方法。
（３）原水の紫外線吸光度発現物質および膜閉塞物質の含有量を低下させるために凝集剤注入を行い、被処理水を得る凝集剤注入手段と、
前記原水及び前記被処理水の紫外線吸光度を測定する紫外線吸光度測定手段と、
前記被処理水をろ過処理してろ過水を得る膜処理手段と、
前記紫外線吸光度測定手段によって得られた紫外線吸光度からその紫外線吸光度除去率を求め、該紫外線吸光度除去率から前記被処理水の膜閉塞物質の含有量を求めて、該被処理水の膜閉塞性を評価し、該膜閉塞性の評価結果に基づいて、前記凝集剤注入手段により前記凝集剤の注入を制御する制御手段と、
を有することを特徴とする膜処理装置。
（４）前記制御手段は、予め求められた前記紫外線吸光度の除去率と膜閉塞物質指標の除去率との相関関係に基づいて、前記膜閉塞度を求めることを特徴とする上記（３）に記載の膜処理装置。
（５）前記紫外線吸光度除去率（式（Ｉ））及び前記膜閉塞物質指標の除去率（式（ＩＩ））は、次式により算出されることを特徴とする上記（４）に記載の膜処理装置。
・（原水の紫外線吸光度−被処理水の紫外線吸光度）／原水の紫外線吸光度×１００・・・・・・・・・・・・・・・・・・・・・・・・・・・・・・・・・・・・・式（Ｉ）
・（原水の膜閉塞物質指標−被処理水の膜閉塞物質指標）／原水の膜閉塞物質指標×１００・・・・・・・・・・・・・・・・・・・・・・・・・・・・・・・・・式（ＩＩ）
（６）上記（３）〜（５）のいずれかに記載の膜処理装置を含むことを特徴とする水処理プラント。
（７）原水の紫外線吸光度発現物質および膜閉塞物質の含有量を低下させ被処理水を得るために凝集剤注入する処理を行う凝集剤注入処理ステップと、
前記原水及び前記被処理水の紫外線吸光度を測定する紫外線吸光度測定ステップと、
前記被処理水から分離膜を用いてろ過水を得るろ過処理ステップと、
前記紫外線吸光度からその紫外線吸光度除去率を求め、該紫外線吸光度除去率に基づいて、前記被処理水の膜閉塞物質の含有量を求め、該被処理水の膜閉塞性を評価する膜閉塞性評価ステップと、
前記膜閉塞性評価ステップによる膜閉塞性の評価結果に基づいて、前記凝集剤注入処理ステップにより前記凝集剤の注入を制御する制御ステップと、
を備えることを特徴とする膜処理装置の運転方法。
（８）前記膜閉塞性評価ステップにおいて、予め求められた前記紫外線吸光度の除去率と膜閉塞物質指標の除去率との相関関係に基づいて、前記膜閉塞度を求めることを特徴とする上記（７）に記載の膜処理装置の運転方法。
（９）上記（７）または（８）に記載の膜処理装置の運転方法を含むことを特徴とする水処理プラントの運転方法。
【手続補正４】
【補正対象書類名】明細書
【補正対象項目名】００１９
【補正方法】変更
【補正の内容】
【００１９】
本発明について説明する。
本発明は、被処理水に含まれる膜閉塞物質を測定し被処理水を評価する被処理水の評価方法において、原水及び前記被処理水について紫外線吸光度を測定し、前記紫外線吸光度の測定結果から該紫外線吸光度の除去率を求め、前記紫外線吸光度の除去率から、前記被処理水の前記膜閉塞物質の含有量を算出により求め、該算出結果から前記被処理水の膜閉塞性を評価することを特徴とする被処理水の評価方法である。
このような評価方法を、以下では「本発明の評価方法」ともいう。
【手続補正５】
【補正対象書類名】明細書
【補正対象項目名】００２０
【補正方法】変更
【補正の内容】
【００２０】
また、本発明は、原水の紫外線吸光度発現物質および膜閉塞物質の含有量を低下させるために凝集剤注入を行い、被処理水を得る凝集剤注入手段と、前記原水及び前記被処理水の紫外線吸光度を測定する紫外線吸光度測定手段と、前記被処理水をろ過処理してろ過水を得る膜処理手段と、前記紫外線吸光度測定手段によって得られた紫外線吸光度からその紫外線吸光度除去率を求め、該紫外線吸光度除去率から前記被処理水の膜閉塞物質の含有量を求めて、該被処理水の膜閉塞性を評価し、該膜閉塞性の評価結果に基づいて、前記凝集剤注入手段により前記凝集剤の注入を制御する制御手段と、を有することを特徴とする膜処理装置である。
このような膜処理装置を、以下では「本発明の装置」ともいう。
【手続補正６】
【補正対象書類名】明細書
【補正対象項目名】００４９
【補正方法】変更
【補正の内容】
【００４９】
＜本発明の装置、本発明の装置の運転方法＞
次に、本発明の装置について図１を用いて説明する。図１は本発明の装置の好適態様を示すものであるが、本発明の装置はこれに限定されない。
図１に示すように、本発明の装置１０は、膜処理部１２、紫外線吸光度測定手段としてのＵＶ計１４および低下処理手段（凝集剤注入手段）としての凝集剤注入装置１６を有し、さらに評価手段（制御手段）としての制御部１８を有する。
【手続補正７】
【補正対象書類名】明細書
【補正対象項目名】００５３
【補正方法】変更
【補正の内容】
【００５３】
本発明の装置は図１に示した態様のように、評価手段（制御手段、図１における制御部１８）を備えることが好ましい。ただし、本発明の装置は評価手段（制御手段）を有さず、紫外線吸光度測定手段によって得られた紫外線吸光度から、人間が被処理水の膜閉塞度を評価し、その評価結果に基づいて低下処理手段（凝集剤注入手段）を行ってもよい。
また、低下処理手段としては、凝集剤注入装置の他にも、活性炭等を用いた吸着槽を用いることもできる。
【手続補正８】
【補正対象書類名】明細書
【補正対象項目名】００５４
【補正方法】変更
【補正の内容】
【００５４】
このような本発明の装置１０は、次のような本発明の装置の運転方法によって運転（操業）することが好ましい
すなわち、原水１について凝集剤注入装置１６から凝集剤を添加して（紫外線吸光度発現物質および膜閉塞物質の含有量を低下させる処理を施して）被処理水３を得る凝集剤注入ステップと、分離膜を用いて処理してろ過水５を得るろ過処理ステップと、前記原水１および前記被処理水３についてＵＶ計１４を用いて紫外線吸光度を測定する紫外線吸光度測定ステップと、前記紫外線吸光度からその紫外線吸光度除去率を求め、該紫外線吸光度除去率に基づいて、前記被処理水３の膜閉塞物質の含有量を求め、被処理水３の膜閉塞性を評価する膜閉塞性評価ステップと、前記膜閉塞性評価ステップによる膜閉塞性の評価結果に基づいて、前記原水１への凝集剤の注入（紫外線吸光度発現物質および膜閉塞物質の含有量を低下させる処理を行う）を制御する制御ステップとを備える方法によって、本発明の装置を運転することが好ましい。